(57)【特許請求の範囲】
【請求項１】
外部から電源供給を受ける画像読取装置であって、
原稿画像を読み取ってその画像データを出力するための光検知手段と、
前記光検知手段が検知した画像データ信号をＵＳＢコネクタを介して外部のデータ処理装置に出力するためのＵＳＢインターフェイス手段と、
装置の動作状態を表示する表示手段と、
前記光検知手段、前記ＵＳＢインターフェイス手段、及び前記表示手段を制御する制御手段と、
を備え、
前記制御手段は、
前記光検知手段で原稿画像を読み取る際に、前記外部のデータ処理装置に対して電源供給リクエストを行い、
この電源供給リクエストが受入れられた場合は、
前記光検知手段で原稿画像の読み取りを実行すると共に、前記表示手段に画像読取動作状態であることを表示し、
前記電源供給リクエストが受入れられなかった場合には、前記表示手段に動作待機状態であることを表示する、
ように制御することを特徴とするＵＳＢインターフェイスを具備する画像読取装置。
【請求項２】
前記画像読取装置はさらに、前記光検知手段が出力した前記画像データを一時的に記憶するための記憶手段を具備し、当該記憶手段に記憶された画像データを前記外部データ処理装置に対して所定のタイミングで出力する、ように構成された請求項１に記載の画像読取装置。
【請求項３】
前記光検知手段は、ＣＣＤディバイス又は受光ダイオード・アレイである請求項１又は２に記載の画像読取装置。
【請求項４】
前記制御手段は、前記電源供給リクエストが受入れられなかった場合にはこれが受入れられるまで電源供給リクエストを繰り返して行い、これが受入れられた場合は前記表示手段に動作状態であることを表示すると共に、前記光検知手段で原稿画像の読み取りを実行する請求項１に記載の画像読取装置。
【請求項５】
前記表示手段は発光素子であって、前記動作状態の表示は当該発光素子の継続点灯であり、前記動作待機状態の表示は当該発光素子の断続点灯であることを特徴とする請求項１乃至４の何れか１項に記載の画像読取装置。
【発明の詳細な説明】
【０００１】
【発明の属する技術分野】
本発明は、パーソナルコンピュータ等のデータ処理装置（以下、「ＰＣ」という）に接続されるいわゆる周辺装置の一つである画像入力装置に関するものであり、より詳しくは、ＵＳＢインターフェイス（以下、単に「ＵＳＢ」という）を具備して電源供給を外部から受ける画像入力装置に関する。
【０００２】
【従来の技術】
最近のＰＣの性能の飛躍的向上とその普及に伴ない、コスト低減と共に操作の簡便性と容易性の要求が益々高まってきた。従来から、ＰＣの制御装置本体とそれに接続されるキーボード、ディスプレイ、プリンタ及び光学スキャナ装置等の各種の周辺装置との接続については、相互間で個々の周辺装置特有なコネクタを介して接続され、このために、ＰＣ制御装置本体（裏面）には、専用のＣＲＴ用コネクタ、キーボード用コネクタ、標準のＲＳ２３２Ｃ等のシリアル・コネクタやＳＣＳＩ及びセントロニクス規格のパラレル・コネクタ等多くの種類のコネクタを装備していなければならなっかった。そして、ＰＣのセットアップや周辺装置の増設時においては、ＰＣ制御装置本体と個々の周辺装置間は、規定された所定のコネクタ・ケーブルを用いて相互接続する必要があった。
【０００３】
また従来においては、ＰＣのセットアップや周辺装置の増設時におけるプラグ＆プレイ機能はもとより、電源を落とさずに接続プラグの抜き差しを可能とするいわゆるホット・プラグ機能が求められていたにも拘わらず、従来のＰＣにおいては必ずしも操作の簡便性と容易性が充分に達成されていたとは言い難い状態であった。
【０００４】
このために、ＰＣと種々の周辺装置に対して共通のコネクタで接続可能であり、さらにプラグ＆プレイ機能とホット・プラグ機能を達成することが可能なＵＳＢ（Universal Serial BUS）インターフェイス規格（以下、「ＵＳＢ」という）とＩＥＥＥ１３９４インターフェイス規格が設定され現実に利用されるに至った。
【０００５】
このうち、ＵＳＢは、図５に示すとおりデータ信号線Ｄ+／Ｄ−の他に+５Ｖを供給する電源線をもっていることから、周辺装置自身が電源ユニットを有するセルフ・パワー・デバイスと、ＵＳＢケーブルを介して接続先のホストＰＣの制御装置側から電源の供給を受けるバス・パワー・デバイスがある。
【０００６】
後者のバス・パワー・デバイスは自ら電源装置を持つ必要はないものの、消費できる電流制限（通常電流消費モード時において１００ｍＡ以下、最大電流消費モード時において５００ｍＡ以下）が厳格に定められおり、定格消費電力が小さく比較的小型で簡易な周辺装置が採用する。しかし、電子回路、特にＣＭＯＳ・ＬＳＩ回路を採用する周辺装置は、比較的高度な機能を有するものであっても、消費電流をＵＳＢの上記電流制限値以下に押さえられる場合も多く、バス・パワー・デバイスの種類が増大している。
【０００７】
しかしながら、ＵＳＢのバスからの最大電流消費モード（５００ｍＡ）は、周辺装置（デバイス）のコンフィグレーション情報をホスト（ＰＣ）側に報告した後、ホストからこの電流モードを使用してよい旨の設定を受けてからのみ有効となるものである。これは、バスに接続されているＵＳＢデバイスの消費電流モデルがわからないうちからＵＳＢデバイスがフルに電流を消費した場合、このようなＵＳＢデバイスが複数接続されているハブ（電源供給能力を具備する最大５段までのノードで接続され得るＵＳＢ拡張コード）が、その上位にＵＳＢ規格である５００ｍＡ以上の電流を要求し、バス動作が不安定になる事態を防止するためである。従って、ホストＰＣはそこに接続されている全てのＵＳＢバス・パワー・デバイスの電流消費モデルを取得し、ノードごとの電流消費モデルを計算したうえで１００ｍＡ以上の電流を消費しても問題ないと判断したＵＳＢデバイスに対してのみこの最大電流消費モード（５００ｍＡ）に入ることを許可することとしている。
【０００８】
【発明が解決しようとする課題】
従って、ＵＳＢバス・パワー・デバイスは、必ずしもいつでもＵＳＢバスから５００ｍＡの電流を消費可能なわけではなく、当該ホストＰＣに接続されている他のＵＳＢバス・パワー・デバイスの動作状況に応じては、当該デバイスにおいて動作起動操作が行われても、ホストＰＣからの許可が設定されるまである時間動作待機しなければならないこととなる。
【０００９】
このように、ＵＳＢバス・パワー・デバイスにおいては、操作者が所定の起動操作を行っても、ホストＰＣからの許可を受けるまでは当該デバイスは動作待機の状態になってしまうこととなり、従来においては、操作者は、起動操作を行ってもデバイスが起動しないことが当該デバイスの故障なのか又は動作待機モードに入っているのか判別することができず不安な状態に置かれたり、または誤操作の原因になることもあった。上記のことは特に移動動作又は回転動作を伴ない視覚により動作確認可能な周辺装置であってＵＳＢバスから最大電流消費モード（５００ｍＡ）を消費する必要がある名刺や葉書等（以下、「カード」と称する）の画像情報を読み取るための画像読取装置（以下、「カード読取装置」という）について言え、カードを読取らせる起動操作をしたにも拘わらず動作しない理由が故障であるのか、上記の動作待機モードであるのか、又は操作ミスあるのかを、操作者に対して簡易に非常に低コストの方法にて且つこれを明確に表示する必要性が高かったのである。
【００１０】
【課題を解決するための手段】
本発明は、上記従来技術の課題を解決するために、外部から電源供給を受ける画像読取装置であって、原稿画像を読み取ってその画像データを出力するための光検知手段と、前記光検知手段が検知した画像データ信号をＵＳＢコネクタを介して外部のデータ処理装置に出力するためのＵＳＢインターフェイス手段と、装置の動作状態を表示する表示手段と、前記光検知手段、前記ＵＳＢインターフェイス手段、及び前記表示手段を制御する制御手段とから構成し、前記制御手段は、前記光検知手段で原稿画像を読み取る際に、前記外部のデータ処理装置に対して電源供給リクエストを行い、この電源供給リクエストが受入れられた場合は、前記光検知手段で原稿画像の読み取りを実行すると共に、前記表示手段に画像読取動作状態であることを表示し、前記電源供給リクエストが受入れられなかった場合には、前記表示手段に動作待機状態であることを表示するように制御する。そして前記光検知手段はＣＣＤディバイス、受光ダイオード・アレイを使用する。また、前記表示手段は、例えばＬＥＤ発光素子、或いは電子音により動作状態と待機状態を表示するように構成する。
【００１１】
また、最近のメモリ装置の高集積化と低コスト化に鑑みて、前記画像読取装置はさらに、前記光検知手段が出力した前記画像データを一時的に記憶するための記憶手段を具備し、当該記憶手段に記憶された画像データを前記外部データ処理装置に対して所定のタイミングで出力する、ように構成してもよい。
【００１２】
本装置の制御装置は、読前記電源供給リクエストが受入れられなかった場合にはこれが受入れられるまで電源供給リクエストを繰り返して行い、これが受入れられた場合は前記表示手段を動作モードにて表示すると共に原稿の読取制御を行う。そして、ここで使用する表示手段は発光素子であって、前記動作モード表示は当該発光素子の継続点灯し、前記動作待機モードは当該発光素子の断続点灯するように構成することにより、同機能を極めて低いコストで実現している。
【００１７】
【発明の実施の形態】
以下、本発明に係る画像入力装置の詳細を図面に基づいて説明する。
【００１８】
図１は、本発明の実施の形態の例を示す図であり、パソコン本体に接続されたカード読取装置を示す。また、図２は、本発明に係るカード読取装置の斜視図を示す。
【００１９】
カード読取装置１は、ＵＳＢコネクタ受け２を備えており、ＵＳＢケーブルＣを介してホストＰＣに接続される。最大長さ５メートルのＵＳＢケーブルＣには、カード読取装置側にはシリーズＡタイプのＵＳＢコネクタＣ１が、ホストＰＣ側にはシリーズＢタイプのＵＳＢコネクタＣ２が結合されている。図１に示すように、ＵＳＢケーブルＣは、拡張用のＵＳＢハブ・コネクタＥを介してホストＰＣに接続されてもよい。ＵＳＢハブ・コネクタは、最大５段まで入ることが可能である。
【００２０】
ここで、図９に、ＵＳＢシールド・ケーブルの断面図を示す。図に示されるように、信号線用ツイスト・ペア線と、２本の電源線がシールド編線内に収納されている。また、図１０に、ＵＳＢのケーブル長の延長例を示す。
【００２１】
図２に示すように、カード読取装置１は、カードを積載する積載部３を備えており、ここから１枚づつ繰り出されたカードは装置内部に搬送され、後述する画像入力装置によってその記載内容が読み取られる。そして、読み取られた情報は、パソコン本体Ｐのデータベースに蓄積される。なお、カード読取装置１は、スタートスイッチ５０をＯＮ操作することによって起動される。このとき、パソコン本体ＰＣから電源供給を受けることができれば、表示ランプ６が継続点灯する。もし、電源供給を受けることができなければ、表示ランプ６は、電源供給を受けるまで断続点灯する。
【００２２】
図３および図４は、カード読取装置の内部構造を示す図であり、図３は側方から、図４は上方から、それぞれ見た図である。
【００２３】
カード読取装置１の一側部には、図２に示したように、上方に露出する積載部３が設けられている。積載部３は、実際にカードが積載される押圧板４と、押圧板４と本体フレーム１ａとの間に設けられ、押圧板４を上方に向けて付勢する押圧バネ５とを備えており、押圧板４に載置されたカードは、押圧バネ５の付勢力によって後述する給紙ローラに向けて付勢される。
【００２４】
また、上記押圧板４には、一対のサイドガイド７，８が立設されている。各サイドガイド７，８は、カード搬送方向である矢印Ｄ方向と直交する方向に延出し夫々対向する向きに形成されたラック７ａ，８ａと、押圧板４の裏面略中央に回転可能に設けられ、各ラック７ａ，８ａに噛合するピニオン９とを備えたユニバーサル機構によって、一体的に矢印Ｄ方向と直交する方向に移動可能となっている。すなわち、押圧板４に載置されたカードは、いずれかのサイドガイドを移動させることで、その両サイドが規定されるようになっている。
【００２５】
押圧板４に積載されたカードは、以下に詳述するカード分離機構１０によって１枚づつ分離され、後述する画像入力装置の読取り部に向けて搬送される。ここで、カード分離機構の構成および動作について、図３乃至図６を参照して説明する。
【００２６】
本体フレーム１ａには、矢印Ｄ方向と直交する方向に駆動軸１１が回転可能に支持されており、この駆動軸１１は、本体フレーム１ａに支持された駆動モータＭが駆動されることで回転駆動される。駆動軸１１には、所定間隔をおいて一対の給紙ローラ１１ａが一体的で、かつ回転可能に支持されており、押圧板４に積載されたカードの表面に当接可能となっている。
【００２７】
前記押圧板４には、その中央部分（一対の給紙ローラ１１ａの間に対応する部分）に切欠部４ａが形成されており、この切欠部内に、湾曲した板状のストッパ１３が所定角度だけ回動可能に配設されている。具体的には、ストッパ１３は、駆動軸１１と並行で、かつ押圧板側のやや上方でフレーム本体１ａに回転可能に支持された支持軸１３ａの中央部分に一体的に形成されており、図３に示すように、側方から見て給紙ローラ１１ａの外周面より下方で、その外周面に部分的に沿うように湾曲形成されている（図３は初期位置を示す）。
【００２８】
支持軸１３ａは、以下の機構によって、その回転が規制／解除され、前記ストッパ１３は所定角度回動可能となっている。すなわち、ストッパ１３は、支持軸１３ａの回転が規制されているときが図３、図５に示す初期位置であり、支持軸１３ａの回転が解除されているときが回動可能状態で、その下面が給紙ローラ１１ａの外周面より上方に回動可能となっている。
【００２９】
上記駆動軸１１には、その端部に駆動モータＭとギヤトレインＴ１によって連結されたギヤ１５が固定されている。このギヤ１５と給紙ローラ１１ａとの間には、駆動軸１１に固定され、軸方向に延出する爪部１７ａを具備したラチェットロック１７と、爪部１７ａと係合するテーパ面１８ａが形成されたラチェットナカ１８が配されている。このラチェットナカ１８は、ラチェットロック１７が回転することで、爪部１７ａとテーパ面１８ａとの係合関係により、給紙ローラ１１ａ側に摺動されるように駆動軸１１に回転可能に支持されている。なお、ラチェットナカ１８と給紙ローラ１１ａとの間には、ラチェットバネ２０が配設されており、ラチェットナカ１８をギヤ１５側に向けて付勢している。
【００３０】
前記ラチェットナカ１８は、その中央部分に円周溝１８ｂが形成されており、円周溝１８ｂの一端側が上記テーパ面１８ａを有するテーパ部１８ｃ、他端側が端面にラチェット１８ｄが形成されたラチェット部１８ｅとなっている。そして、上記支持軸１３ａには、この円周溝１８ｂに入り込み、かつラチェット部１８ｅの外周面と当接可能な当接部１３ｃが形成されている。なお、ラチェット１８ｄは、ラチェットナカ１８が給紙ローラ１１ａ側に摺動された際、給紙ローラ１１ａの対向端面に形成されたラチェット１１ｂと係合可能になっている。
【００３１】
押圧板４の前端面４ｂ側には、前端面４ｂと対向し、積載されたカードの前端が当て付く突き当て部２２ａを有する上カバー２２が隣接して設けられている。そして、その中央には、切欠部２２ｃが形成され、その部分にカードの１枚分離が成されるよう、カード搬送方向（Ｄ方向）に向けて上昇し、摩擦部を表面に具備した分離部２５が配置されている。
【００３２】
以上のように構成されたカード分離機構１０によって、押圧板４上に積載されたカードの１枚分離を行う動作について説明する。
【００３３】
図５に示す初期状態において、押圧板４上にカードが積載されると、押圧板４は押圧バネ５の付勢力によって上方に押し上げられる。このとき、当接部１３ｃがラチェット部１８ｅの外周面と当接した状態にあるため、支持軸１３ａは回転することはできず、積載されたカードは、ストッパ１３によって給紙ローラ１１ａの外周面に接触することはなく、また、カード分離部分である突き当て部２２ａ及び分離部２５に進入することはない。
【００３４】
この状態で、読取り動作指示が伝わると、モータＭが回転駆動され、ギヤ１５に回転駆動力（図５矢印方向）が伝達される。これにより、駆動軸１１が回転駆動され、ラチェットロック１７も一体的に回転する。このとき、爪１７ａがラチェットナカのテーパ面１８ａに沿って移動し、ラチェットナカ１８を給紙ローラ１１ａ側に向けて摺動させる。
【００３５】
ラチェットナカ１８が摺動すると、ラチェット部１８ｅに当接していた当接部１３ｃが溝部１８ｂに入り込み、支持軸１３ａを回転可能状態とする。これにより、押圧板４に積載されたカードは、押圧バネ５の付勢力によってストッパ１３を上方に移動させ（支持軸１３ａを回転させる）、給紙ローラ１１ａの外周面に当接するようになる。一方、ラチェットナカ１８が摺動し、ラチェットロック１７の爪部１７ａがテーパ面１８ａを滑り終わると、爪部１７ａは回転規制面１８ｆに当接し、ラチェットナカ１８も一体的に回転するようになる。そして、これと同時にラチェット部１８ｅのラチェット１８ｄが給紙ローラ１１ａのラチェット１１ｂと係合し、給紙ローラ１１ａも一体的に給紙方向に回転駆動される（図６参照）。
【００３６】
給紙ローラ１１ａが回転すると、それに当接しているカードは、Ｄ方向に搬送され、分離部に向けて繰り出される。そして、押圧板４に積載されたカードは、その前端部分が上カバー２２の突き当て部２２ａに規制されると共に、その最上のカードが分離部２５によって分離され、後述する画像入力装置の読取り部に向けて搬送される。
【００３７】
そして、最終のカードを搬送し終えると、ストッパ１３が解除バネ１９の捻り力（又は戻り力）により押圧板４の切欠部４ａ内に落ち込み、これにより、当接部１３ｃもラチェットナカの溝部１８ｂから外れる。その後、モータＭを逆回転駆動し、ラチェットロックの爪部１７ａを図５に示す状態に戻すことで、ラチェットナカ１８はラチェットバネ２０の付勢力によって初期位置に戻り、再びカード積載待機状態となる。ここで、解除バネ１９とラチェットバネ２０の作用により、原稿がなくなった時にはラチェットナカ１８が解除するように構成すれば、リセットのためのモータＭの逆回転駆動を不要とすることも可能である。
【００３８】
図３に示すように、上述したカード分離機構１０の下流側には、搬送ローラ対３０および排出ローラ対３２が配設されており、これらのローラ対３０，３２の間に画像入力装置４０が配設されている。搬送されたカードは、この画像入力装置４０の読取り部４０ａを通過する際、スキャンされ、その内容が読み取られた後、排出ローラ対３２を介して装置本体外に排出される。なお、これらのローラ対３０，３２は、各支持軸の端部に取り付けられている駆動ギヤ３０ａ，３２ａが上記モータＭにギヤトレインＴ２を介して連結されており、モータＭの駆動によって回転駆動される。
【００３９】
画像入力装置４０は、搬送ローラ対３０によって送られてくるカードに対して光を照射する光源（ＬＥＤ）４１と、カードからの反射光を偏向する偏向部材（ミラー）４２と、このミラー４２からの光を集光する集光レンズ４３と、集光レンズ４３からの光を検出する光学素子（ＣＣＤ）４５とを備えており、集光レンズ４３によって集光されたカードからの反射光は、前記ＣＣＤ４５によって検出され、検出された光は光電変換された後、画像データとしてパソコン本体Ｐ内に取り込まれてデータ処理がなされる。
【００４０】
図７は、カード読取装置の動作を説明するフローチャートである。カード読取装置１の原稿トレイ３の上に載置された原稿を読み取るため、スタートスイッチ５０をＯＮ操作する（Ｓ１）。カード読取装置１は、外部データ処理装置ＰＣに対して、電源供給リクエストを行う（Ｓ２）。つまり前記光検知手段４５で原稿画像を読み取る際に図１１に示す制御手段は外部データ処理装置ＰＣに対して、電源供給リクエストを発信する。そこで外部データ処理装置ＰＣは、このリクエストを受けることができるか否か判断する（Ｓ３）。受け入れることができなければ、表示ランプ６は動作待機状態である旨を表示する断続点灯を行う（Ｓ４）（以下動作モードという）。そして、カード読取装置１は、このリクエストが受け入れられるまで所定のタイミングで、リクエストを繰り返す。
【００４１】
外部データ処理装置ＰＣは、この受け入れが可能になれば、直ちにカード読取装置１に、ＵＳＢコネクタＣを介して電源供給を開始する。表示ランプ６は、動作モードを表す継続点灯を行う（Ｓ５）。このとき原稿の読取制御が行われ（Ｓ６）、光検知手段が出力した画像データを一時的に記憶する（Ｓ７）。そして、ＰＣに対し所定のタイミングで記憶したデータを出力する（Ｓ８）。ＰＣは、原稿の読み取りが終了したか否かを判断し（Ｓ９）、読み取りが終了するまでデータ処理を続ける。
【００４２】
図８は、表示手段の動作および待機のモード（待機状態）を示す図である。図８（Ａ）は、スタートスイッチ５０をＯＮにすると同時に、外部データ処理装置ＰＣがカード読取装置１に電源供給を開始した状態を示している。カード読取装置１は直ちに原稿読み取りを開始し、表示ランプ６は、原稿読み取り終了まで動作モードを表す継続点灯を続ける。
【００４３】
図８Ｂは、スタートスイッチ５０をＯＮにしても、カード読取装置１が直ちに外部データ処理装置ＰＣから電源供給を受けることができない状態を示している。スタートスイッチ５０がＯＮされると、カード読取装置１の表示ランプ６は、待機状態である旨を表示する断続点灯を開始する（以下待機モードという）。その後、外部データ処理装置ＰＣから電源供給を受けると、カード読取装置１は原稿読み取りを開始する。そして、表示ランプ６は原稿読み取り終了まで動作モードを表す継続点灯を続ける。
【００４４】
図１１は、本発明に係る画像読取装置における制御手段のブロック構成図を示す。上記説明のように原稿の画像は、光検知手段によって順次読み取られる。ここで光検知手段は、図１乃至６で説明したＣＣＤ等の光学縮小タイプの光検知手段を利用してもよいが、線形の接触型光センサを用いてもよい。副走査方向の画像データは、コントロールＩＣから供給されるクロック信号毎にビット列のシリアル・データとしてＡＭＰに入力され、増幅されて信号レベル補正が行われる。レベル補正が行われたアナログデータはそのその階調に応じてデジタル変換される。カラーデータの場合はＲＧＢの基本色要素毎にデジタル変換される。この後、デジタル変換されたデータは、所定バイト数に束ねられてＲＡＭ等の記憶手段に一時格納され、または直接に、上記した転送モードによりＵＳＢインターフェイス手段を介してホストＰＣに送信されることとなる。図１２において、ＲＯＭには動作プログラム及び固定データが記憶される。また、制御パラメータ設定手段により、前記動作モードの表示方法などの各種制御設定が可能になっている。
【００４５】
以上説明したように、本発明によれば、周辺装置である画像読取装置が、ＵＳＢインターフェイスを介して外部データ処理装置と接続されて電源供給を受けているので、周辺装置自体が電源を持つ必要がなく、小型で取り扱いも簡便である。
【００４６】
また、周辺装置は、外部データ処理装置に電源供給をリクエストし、外部データ処理装置に電力の余力があるときのみ電源供給を受け、データを外部データ処理装置に対し出力する方式にしたので、外部データ処理装置は、さらに他の周辺装置を接続することができる。
【００４７】
さらに、カード読取装置に待機モードを表す表示ランプを設けたので、この装置の操作者は、装置が作動していなくても操作ミスや装置の故障ではなく、装置が待機状態にあることを容易に知ることができる。
【図面の簡単な説明】
【図１】本発明の一実施の形態を示す図であり、パソコン本体に接続されたカード読取装置を示す図。
【図２】カード読取装置を示す斜視図を示す。
【図３】図１に示すカード読取装置の内部構造を示す側面図を示す。
【図４】図１に示すカード読取装置の内部構造を示す上面図を示す。
【図５】カード分離機構を示す図であり、初期位置を示す。
【図６】カード分離機構を示す図であり、カード積載状態を示す。
【図７】カード読取装置の動作を説明するフローチャートを示す。
【図８】表示手段の動作および待機のモードを示す。
【図９】ＵＳＢシールド・ケーブルの断面図を示す。
【図１０】ＵＳＢのケーブル長の延長例を示す。
【図１１】本発明に係る画像読取装置における制御手段のブロック構成図を示す。
【符号の説明】
１    カード読取装置
６    表示ランプ
４０  画像読取装置
４１  ＬＥＤ（光源）
４２  ミラー（偏向部材）
４３  集光レンズ
４５  ＣＣＤ（光学素子）
５０  スタートスイッチ
ＰＣ  外部データ処理装置
Ｃ    ＵＳＢコネクタ
【図１】
0004323660.tif 000002
【図２】
0004323660.tif 000003
【図３】
0004323660.tif 000004
【図４】
0004323660.tif 000005
【図５】
0004323660.tif 000006
【図６】
0004323660.tif 000007
【図７】
0004323660.tif 000008
【図８】
0004323660.tif 000009
【図９】
0004323660.tif 000010
【図１０】
0004323660.tif 000011
【図１１】
0004323660.tif 000012